(57)【要約】【課題】地下水の溶存酸素濃度が高く、酸化雰囲気の汚染領域を嫌気的雰囲気及び還元雰囲気に変えることができ、確実に微生物による汚染土壌及び汚染地下水の浄化処理を可能にした汚染土壌及び汚染地下水の原位置浄化処理方法を提供する。【解決手段】揮発性有機化合物で汚染された土壌及び地下水を微生物によって原位置で浄化処理する方法であって、揮発性有機化合物で汚染された汚染領域Ｒの地下水流方向上流側Ｔ１、あるいは汚染領域Ｒに対し地下水流方向上流側Ｔ１の地下水Ｗの溶存酸素濃度を低減させ、この溶存酸素濃度が低減した脱気地下水Ｗ’を汚染領域Ｒに供給する。【選択図】図１
2008279403.tif 000002
【特許請求の範囲】
【請求項１】
揮発性有機化合物で汚染された土壌及び地下水を微生物によって原位置で浄化処理する方法であって、
前記揮発性有機化合物で汚染された汚染領域の地下水流方向上流側、あるいは前記汚染領域に対し地下水流方向上流側の地下水の溶存酸素濃度を低減させ、該溶存酸素濃度を低減させた脱気地下水を前記汚染領域に供給することを特徴とする汚染土壌及び汚染地下水の原位置浄化処理方法。
【請求項２】
請求項１記載の汚染土壌及び汚染地下水の原位置浄化処理方法において、
前記汚染領域の地下水流方向上流側、あるいは前記汚染領域に対し地下水流方向上流側の地下水を揚水井から地上に揚水し、該揚水井から揚水した前記地下水の溶存酸素濃度を脱気装置で低減させ、該脱気装置で処理した前記脱気地下水を前記汚染領域に注入井を通じて供給することを特徴とする汚染土壌及び汚染地下水の原位置浄化処理方法。
【請求項３】
請求項１記載の汚染土壌及び汚染地下水の原位置浄化処理方法において、
前記汚染領域の地下水流方向上流側の地下水に薬剤注入井から脱酸素剤を供給し、溶存酸素濃度を低減させた前記地下水流方向上流側の前記脱気地下水を前記地下水流によって前記汚染領域に供給することを特徴とする汚染土壌及び汚染地下水の原位置浄化処理方法。
【請求項４】
請求項２記載の汚染土壌及び汚染地下水の原位置浄化処理方法において、
前記脱気装置が、前記揚水井で揚水した前記地下水を貯留するとともに該地下水を曝気処理する曝気槽を備え、脱酸素剤を添加するとともに曝気して前記地下水の溶存酸素濃度を低減させることを特徴とする汚染土壌及び汚染地下水の原位置浄化処理方法。
【請求項５】
請求項１から請求項４のいずれかに記載の汚染土壌及び汚染地下水の原位置浄化処理方法において、
前記脱気地下水に前記微生物を活性化させるための栄養剤を添加することを特徴とする汚染土壌及び汚染地下水の原位置浄化処理方法。
【発明の詳細な説明】
【技術分野】
【０００１】
本発明は、例えばテトラクロロエチレンやトリクロロエチレン等の揮発性有機化合物で汚染された土壌及び地下水を微生物によって原位置で浄化処理する汚染土壌及び汚染地下水の原位置浄化処理方法に関する。
【背景技術】
【０００２】
従来、テトラクロロエチレンやトリクロロエチレンなどの揮発性有機化合物（揮発性有機塩素系化合物）で汚染された土壌や地下水を原位置で浄化処理する方法の一つとして、一般にバイオレメディエーションと称される方法が用いられている（例えば、特許文献１参照）。このバイオレメディエーションでは、揮発性有機化合物で汚染された汚染領域に栄養源を注入して土着の微生物（嫌気性微生物）を増殖、活性化させたり、直接汚染領域に微生物を注入する。そして、活性化した微生物で揮発性有機化合物を分解させることにより、汚染した土壌や地下水を浄化処理する。このようなバイオレメディエーションは、例えば過マンガン酸塩や過硫酸塩などの酸化剤を汚染領域に注入し、酸化剤によって揮発性有機化合物を分解する化学酸化法や、汚染領域を加熱して揮発性有機化合物を分解する熱処理法などの他の原位置浄化処理方法と比較して、低コストで浄化処理を行なうことができ、且つ揮発性有機化合物を無害化するまで分解できるなどの多くの特長を有している。
【特許文献１】特開２００４−１８８４０６号公報
【発明の開示】
【発明が解決しようとする課題】
【０００３】
一方で、嫌気性微生物を増殖、活性化させて汚染土壌及び汚染地下水を浄化処理するバイオレメディエーションを適用するためには、汚染領域が嫌気的雰囲気、すなわち地下水の溶存酸素濃度が低レベルあるいは無酸素状態であること、酸化還元電位が還元雰囲気にあること、嫌気性微生物の生息及び揮発性有機化合物の分解に必要な栄養源が過不足なく存在することが必要になる。
【０００４】
しかしながら、実際の汚染サイトでは、地下水の溶存酸素濃度が高く、このため酸化還元電位が高い場合も多々あり、このような場合には、多くの優れた特長を有するバイオレメディエーションを適用できないという問題があった。
【０００５】
本発明は、上記事情に鑑み、地下水の溶存酸素濃度が高く、酸化雰囲気の汚染領域を嫌気的雰囲気及び還元雰囲気に変えることができ、確実に微生物による汚染土壌及び汚染地下水の浄化処理を可能にした汚染土壌及び汚染地下水の原位置浄化処理方法を提供することを目的とする。
【課題を解決するための手段】
【０００６】
上記の目的を達するために、この発明は以下の手段を提供している。
【０００７】
本発明の汚染土壌及び汚染地下水の原位置浄化処理方法は、揮発性有機化合物で汚染された土壌及び地下水を微生物によって原位置で浄化処理する方法であって、前記揮発性有機化合物で汚染された汚染領域の地下水流方向上流側、あるいは前記汚染領域に対し地下水流方向上流側の地下水の溶存酸素濃度を低減させ、該溶存酸素濃度を低減させた脱気地下水を前記汚染領域に供給することを特徴とする。
【０００８】
この発明においては、汚染領域の地下水流方向上流側、あるいは汚染領域に対し地下水流方向上流側の地下水の溶存酸素濃度を低減させ、この脱気地下水を汚染領域に供給することで、地下水の溶存酸素濃度が高く、このため酸化還元電位が高い汚染領域を、嫌気的雰囲気及び還元雰囲気に変えることができる。これにより、確実に汚染領域に嫌気性微生物を増殖、活性化させることができ、このように活性化した嫌気性微生物によって揮発性有機化合物を分解して汚染土壌及び汚染地下水を確実に浄化処理することができる。
【０００９】
また、本発明の汚染土壌及び汚染地下水の原位置浄化処理方法においては、前記汚染領域の地下水流方向上流側、あるいは前記汚染領域に対し地下水流方向上流側の地下水を揚水井から地上に揚水し、該揚水井から揚水した前記地下水の溶存酸素濃度を脱気装置で低減させ、該脱気装置で処理した前記脱気地下水を前記汚染領域に注入井を通じて供給することが望ましい。
【００１０】
この発明においては、汚染領域の地下水流方向上流側、あるいは汚染領域に対し地下水流方向上流側の地下水を揚水井で揚水し、この地下水を脱気装置で処理することで溶存酸素濃度を低減させることができる。そして、このように処理した脱気地下水を注入井から汚染領域に供給（返送）することによって、確実に汚染領域を嫌気的雰囲気及び還元雰囲気にすることができる。
【００１１】
さらに、本発明の汚染土壌及び汚染地下水の原位置浄化処理方法においては、前記汚染領域に対し地下水流方向上流側の地下水に薬剤注入井から脱酸素剤を供給し、溶存酸素濃度を低減させた前記地下水流方向上流側の前記脱気地下水を前記地下水流によって前記汚染領域に供給してもよい。
【００１２】
この発明においては、薬剤注入井から供給した脱酸素剤によって汚染領域に対し地下水流方向上流側の地下水の溶存酸素濃度を低減させることができ、このように溶存酸素濃度を低減させた脱気地下水を地下水流によって汚染領域に供給することで、確実に汚染領域を嫌気的雰囲気及び還元雰囲気にすることができる。
【００１３】
また、本発明の汚染土壌及び汚染地下水の原位置浄化処理方法においては、前記脱気装置が、前記揚水井で揚水した前記地下水を貯留するとともに該地下水を曝気処理する曝気槽を備え、脱酸素剤を添加するとともに曝気して前記地下水の溶存酸素濃度を低減させることがより望ましい。
【００１４】
この発明においては、揚水した地下水に脱酸素剤を添加しつつ曝気することで確実に地下水の溶存酸素濃度を低減させることができ、このように処理した脱気地下水を汚染領域に供給することで、確実に汚染領域を嫌気的雰囲気及び還元雰囲気にすることができる。また、揚水した地下水に揮発性有機化合物が含まれる場合には、曝気処理とともに揮発性有機化合物が地下水から揮散するため、積極的に揮発性有機化合物を含む地下水を揚水し、曝気槽の揮発性有機化合物が揮散した気相を例えば活性炭などの吸着剤を収容した吸着槽に通過させることで、揚水した地下水中の揮発性有機化合物を捕集することができる。これにより、地中の揮発性有機化合物を嫌気性微生物で分解して無害化することができるとともに、揚水した地下水から揮発性有機化合物を除去することができるため、効率的に汚染土壌及び汚染地下水を浄化処理することが可能になる。
【００１５】
さらに、本発明の汚染土壌及び汚染地下水の原位置浄化処理方法においては、前記脱気地下水に前記微生物を活性化させるための栄養剤を添加することがより望ましい。
【００１６】
この発明においては、脱気地下水を供給して汚染領域を嫌気的雰囲気及び還元雰囲気にするとともに、嫌気性微生物の生息及び揮発性有機化合物の分解に必要な栄養源を供給することができる。このため、例えば栄養剤を供給するための注入井を別途設けることなく栄養剤を汚染領域に供給でき、より低コストで確実に汚染土壌及び汚染地下水の浄化処理を行なうことが可能になる。
【発明の効果】
【００１７】
本発明の汚染土壌及び汚染地下水の原位置浄化処理方法によれば、汚染領域を局所的に嫌気的雰囲気及び還元雰囲気にすることができるため、地下水の溶存酸素濃度が高く、酸化雰囲気の揮発性有機化合物で汚染された汚染土壌及び汚染地下水に対しても、確実に微生物で浄化処理することが可能になる。これにより、従来、バイオレメディエーションの適用が困難であった汚染土壌及び汚染地下水を、低コストで浄化処理することが可能になり、且つ確実に揮発性有機化合物を無害化するまで分解して信頼性の高い浄化処理を施すことが可能になる。
【発明を実施するための最良の形態】
【００１８】
以下、図１を参照し、本発明の第１実施形態に係る汚染土壌及び汚染地下水の原位置浄化処理方法について説明する。本実施形態は、揮発性有機化合物で汚染された土壌及び地下水を、微生物によって原位置で浄化処理する汚染土壌及び汚染地下水の原位置浄化処理方法に関し、特に、汚染領域を流れる地下水の溶存酸素濃度が高く、好気的雰囲気で且つ酸化雰囲気の汚染領域を浄化処理する方法に関するものである。
【００１９】
本実施形態の汚染土壌及び汚染地下水の原位置浄化処理方法に用いる浄化処理装置Ａ（浄化処理設備）は、図１に示すように、揮発性有機化合物で汚染された土壌及び地下水Ｗの汚染領域Ｒに対し、地下水流方向上流側Ｔ１に配設された揚水井１と、この揚水井１で地上に揚水した地下水Ｗの溶存酸素濃度を、例えば真空脱気や窒素ガスによる置換処理などで低減させる脱気装置２と、汚染領域Ｒを含む微生物活性化領域Ｓに配設された注入井３とを備えて構成されている。
【００２０】
また、揚水井１には、その下端側に周囲の地下水Ｗを内部に透過させるためのスリット部１ａが設けられている。この揚水井１は、例えば内部に挿入設置した図示せぬ揚水ポンプの駆動によりスリット部１ａを介して地下水Ｗを集水し、集水した地下水Ｗを地上に揚水するように構成されている。また、地上に脱気装置２が配設されており、揚水井１から揚水した地下水Ｗは、この脱気装置２に送水されて溶存酸素濃度が低減される。すなわち、この脱気装置２によって地下水Ｗから溶存酸素が除去され、揚水時に溶存酸素濃度が高い地下水Ｗが、溶存酸素濃度が低レベルあるいは無酸素状態の脱気地下水Ｗ’に処理される。
【００２１】
一方、本実施形態において、注入井３は、汚染領域Ｒの地下水流方向上流側Ｔ１から下流側Ｔ２に向けて所定の間隔で複数配設されており、各注入井３は、脱気装置２に繋がる配管４にそれぞれ上端側が繋げられている。また、これら注入井３には、それぞれ、下端側にスリット部３ａが設けられている。そして、脱気装置２から脱気地下水Ｗ’が配管４を通じて供給され、このように供給された脱気地下水Ｗ’が各注入井３のスリット部３ａを通じて地中に供給される。さらに、脱気装置２と各注入井３を繋ぐ配管４には、図示せぬ栄養剤供給口が設けられており、この栄養剤供給口から例えば窒素栄養源、炭素栄養源、有機酸、無機塩、ビタミンなどの栄養剤Ｐが脱気地下水Ｗ’に添加される。
【００２２】
なお、図１では、１つの揚水井１と４つの注入井３が配設されているように図示したが、揚水井１と注入井３は、特にその設置数を限定する必要はなく、例えば汚染領域Ｒの大きさや揮発性有機化合物による汚染レベル（汚染濃度）、地下水の流速、地質などに応じて適宜その数や配置が決められればよい。
【００２３】
そして、上記の浄化処理装置Ａを用いて揮発性有機化合物で汚染された汚染領域Ｒを浄化処理する際には、揚水井１で汚染領域Ｒに対し地下水流方向上流側Ｔ１の地下水Ｗを地上に揚水する。ついで、揚水した地下水Ｗを脱気装置２で溶存酸素を除去するように処理し、処理した脱気地下水Ｗ’に栄養剤Ｐを添加しつつ注入井３を通じて汚染領域Ｒを含む微生物活性化領域Ｓに供給する。
【００２４】
このように溶存酸素濃度が高い地下水Ｗを地上に揚水し、この地下水Ｗから溶存酸素を取り除いた脱気地下水Ｗ’を返送することで、汚染領域Ｒを含む微生物活性化領域Ｓが、他の領域に対し局所的に嫌気的雰囲気となり、これによって微生物活性化領域Ｓが還元雰囲気に変わる。そして、微生物活性化領域Ｓが嫌気的雰囲気及び還元雰囲気になるとともに、供給した栄養剤Ｐによって嫌気性微生物が増殖、活性化し、汚染領域Ｒの揮発性有機化合物がこの活性化した嫌気性微生物で無害化されるまで分解される。よって、汚染領域Ｒの汚染土壌及び汚染地下水が確実に浄化処理される。
【００２５】
したがって、本実施形態の汚染土壌及び汚染地下水の原位置浄化処理方法においては、汚染領域Ｒに対し地下水流方向上流側Ｔ１の地下水Ｗを揚水井１で揚水し、この地下水Ｗを脱気装置２で処理することで溶存酸素濃度を低減させることができる。そして、このように処理した脱気地下水Ｗ’を注入井３から汚染領域Ｒを含む微生物活性化領域Ｓに供給（返送）することによって、確実に汚染領域Ｒを嫌気的雰囲気及び還元雰囲気にすることができる。これにより、確実に汚染領域Ｒで嫌気性微生物を増殖、活性化させることができ、従来、バイオレメディエーションを適用が困難であった本実施形態のような汚染領域Ｒにおいても、確実に揮発性有機化合物を無害化するまで分解することが可能になる。よって、低コストで且つ確実に信頼性の高い浄化処理を行うことが可能になる。
【００２６】
また、本実施形態のように、注入井３から地中に返送して供給する脱気地下水Ｗ’に栄養剤Ｐを添加することによって、注入井３を地下水Ｗ’の返送用（供給用）と栄養剤Ｐの供給用として併用することができる。これにより、栄養剤Ｐを供給するための井戸を別途設ける必要がないため、より低コストで確実に汚染土壌及び汚染地下水の浄化処理を行なうことが可能になる。
【００２７】
以上、本発明に係る汚染土壌及び汚染地下水の原位置浄化処理方法の第１実施形態について説明したが、本発明は上記の第１実施形態に限定されるものではなく、その趣旨を逸脱しない範囲で適宜変更可能である。例えば、本実施形態では、汚染領域Ｒに対し地下水流方向上流側Ｔ１に配設した揚水井１で地下水Ｗを揚水するものとしたが、揚水井１は、汚染領域Ｒの地下水流方向上流側Ｔ１に設けられていてもよい。そして、このように汚染領域Ｒの地下水流方向上流側Ｔ１に揚水井１を設けた場合には、地上に揚水した地下水Ｗに揮発性有機化合物が含まれることになる。また、本実施形態のように汚染領域Ｒの外側に揚水井１を設けた場合においても、汚染領域Ｒ側の地下水Ｗが集水されてこの地下水Ｗに揮発性有機化合物が含まれることも考えられる。このような場合には、例えば図２に示すように、脱気装置２を、揚水井１で揚水した地下水Ｗを貯留するとともにこの地下水Ｗを曝気処理する曝気槽を備えて構成し、脱酸素剤Ｍを添加するとともに曝気して地下水Ｗの溶存酸素濃度を低減させるようにしてもよい。そして、このように脱気装置２を構成した場合には、曝気処理とともに地下水Ｗ中の揮発性有機化合物を揮散させることができるため、曝気槽の揮発性有機化合物が揮散した気相を例えば活性炭などの吸着剤を収容した吸着槽５に通過させることで、揚水した地下水Ｗ中の揮発性有機化合物を捕集することができる。これにより、地中の揮発性有機化合物を嫌気性微生物で分解して無害化することができるとともに、揚水した地下水Ｗから揮発性有機化合物を除去することができ、積極的に揮発性有機化合物を含む地下水Ｗを揚水することでより効率的に汚染土壌及び汚染地下水を浄化処理することが可能になる。なお、脱酸素剤Ｍは、脱気地下水Ｗ’とともに微生物活性化領域Ｓに供給されることになるため、微生物や地下水Ｗの水質に問題が生じることがないようにこの脱酸素剤Ｍを選定し、またその添加量を調整することが望ましい。
【００２８】
ついで、図３を参照し、本発明の第２実施形態に係る汚染土壌及び汚染地下水の原位置浄化処理方法について説明する。本実施形態は、第１実施形態と同様、汚染領域を流れる地下水の溶存酸素濃度が高く、好気的雰囲気で且つ酸化雰囲気の汚染領域を浄化処理する方法に関するものである。よって、本実施形態では、第１実施形態に共通する構成に対して同一符号を付し、その詳細についての説明を省略する。
【００２９】
本実施形態の汚染土壌及び汚染地下水の原位置浄化処理方法に用いる浄化処理装置Ｂ（浄化処理設備）は、図３に示すように、揮発性有機化合物で汚染された汚染領域Ｒに対し地下水流方向上流側Ｔ１に配設された脱酸素剤注入井（薬剤注入井）１０と、汚染領域Ｒの地下水流方向上流側Ｔ１から下流側Ｔ２に向けて所定の間隔で複数配設された栄養剤注入井１１とを備えて構成されている。
【００３０】
また、脱酸素剤注入井１０及び栄養剤注入井１１には、それぞれ、その下端側にスリット部１０ａ、１１ａが設けられ、脱酸素剤注入井１０においては、地上に配された上端側から供給した脱酸素剤Ｍを、スリット部１０ａを通じて汚染領域Ｒに対し地下水流方向上流側Ｔ１の地下水Ｗに供給する。そして、供給した脱酸素剤Ｍによって地下水Ｗの溶存酸素濃度が低減され、汚染領域Ｒに対し地下水流方向上流側Ｔ１に脱気領域Ｅが形成される。
【００３１】
一方、各栄養剤注入井１１は、地上の配管１２を介して上端側がそれぞれ繋げられている。そして、配管１２に設けられた図示せぬ栄養剤供給口から栄養剤Ｐを供給すると、各栄養剤注入井１１に栄養剤Ｐが送られ、スリット部１１ａを介してこの栄養剤Ｐが汚染領域Ｒを含む微生物活性化領域Ｓに供給される。なお、図３では、１つの脱酸素剤注入井１０と４つの栄養剤注入井１１が配設されているように図示したが、脱酸素剤注入井１０と栄養剤注入井１１は、特にその設置数を限定する必要はなく、例えば汚染領域Ｒの大きさや揮発性有機化合物による汚染レベル（汚染濃度）、地下水の流速、地質などに応じて適宜その数や配置が決められればよい。
【００３２】
上記の浄化処理装置Ｂを用いて揮発性有機化合物で汚染された汚染領域Ｒを浄化処理する際には、はじめに、脱酸素剤注入井１０から脱酸素剤Ｍを地下水Ｗに供給し、汚染領域Ｒに対し地下水流上流側Ｔ１に脱気領域Ｅを形成する。この脱気領域Ｅの溶存酸素濃度が低減された脱気地下水Ｗ’は、地下水流によって徐々に微生物活性化領域Ｓに流下して供給されてゆく。そして、脱気地下水Ｗ’の供給によって地下水流方向上流側Ｔ１から徐々に微生物活性化領域Ｓが嫌気的雰囲気及び還元雰囲気に変化してゆく。
【００３３】
また、脱酸素剤注入井１０に脱酸素剤Ｍを供給して脱気領域Ｅを形成するとともに、栄養剤注入井１１から微生物活性化領域Ｓに栄養剤Ｐを供給する。供給した栄養剤Ｐは、脱気領域Ｅの脱気地下水Ｗ’が微生物活性化領域Ｓを嫌気的雰囲気に変えながら流下するとともに、微生物活性化領域Ｓに拡散してゆく。このとき、脱気領域Ｅには、上流側Ｔ１から新たに溶存酸素濃度が高い地下水Ｗが流入するが、継続的な脱酸素剤Ｍの供給によって、脱気領域Ｅの地下水Ｗから溶存酸素を除去した脱気地下水Ｗ’となるようにする。これにより、順次微生物活性化領域Ｓに脱気地下水Ｗ’が移流してゆくことになり、微生物活性化領域Ｓ全体が嫌気的雰囲気及び還元雰囲気に変わり、このように嫌気的雰囲気及び還元雰囲気に変わるとともに、栄養剤注入井１１から供給した栄養剤Ｐが微生物活性化領域Ｓ全体に拡散される。なお、微生物活性化領域Ｓ全体に所定量の栄養剤Ｐが供給されるように、必要に応じて栄養剤注入井１１からの栄養剤Ｐの供給を連続的または間歇的に行なう。
【００３４】
そして、脱気地下水Ｗ’及び栄養剤Ｐが供給された微生物活性化領域Ｓは、嫌気的雰囲気及び還元雰囲気になるとともに必要十分な栄養剤Ｐが存在するため、土着の嫌気性微生物が増殖、活性化する。これにより、汚染領域Ｒの揮発性有機化合物が嫌気性微生物によって好適に分解され、揮発性有機化合物が無害化されるまで分解した段階で汚染土壌及び汚染地下水が浄化処理される。
【００３５】
したがって、本実施形態の汚染土壌及び汚染地下水の原位置浄化処理方法によれば、例えば溶存酸素濃度が高く嫌気性微生物の増殖、活性化が困難で、従来、バイオレメディエーションを適用できなかった汚染領域Ｒにおいても、汚染領域Ｒに対し地下水流方向上流側Ｔ１に脱気領域Ｅを形成し、この脱気領域Ｅの脱気地下水Ｗ’を地下水流によって順次微生物活性化領域Ｓに供給することで、汚染領域Ｒを含む微生物活性化領域Ｓを局所的に嫌気的雰囲気及び還元雰囲気に変えることができる。これにより、従来、バイオレメディエーションを適用できなかった汚染領域Ｒにおいても、嫌気性微生物を確実に増殖、活性化することができ、確実に揮発性有機化合物を無害化するまで分解することができる。よって、低コストで信頼性の高い浄化処理を行なうことが可能になる。
【００３６】
なお、本発明に係る汚染土壌及び汚染地下水の原位置浄化処理方法の第２実施形態について説明したが、本発明は上記の実施形態に限定されるものではなく、その趣旨を逸脱しない範囲で適宜変更可能である。例えば、本実施形態では、浄化処理装置Ｂが、汚染領域Ｒに対し上流側Ｔ１に配設された脱酸素剤注入井１０と、汚染領域Ｒに配設された栄養剤注入井１１とを備えて構成されているものとしたが、例えば汚染領域Ｒあるいは微生物活性化領域Ｓの栄養剤注入井１１よりも下流側Ｔ２に配設され、流下した地下水Ｗを地上に揚水するための揚水井を備えて浄化処理装置Ｂが構成されてもよい。この場合には、例えば脱気領域Ｅを形成し、脱気地下水Ｗ’の微生物活性化領域Ｓへの供給時に汚染領域Ｅを通過する地下水Ｗ、すなわち微生物活性化領域Ｓが未だ嫌気的雰囲気及び還元雰囲気になっていない段階で汚染領域Ｅを通過した地下水Ｗを揚水することができる。これにより、汚染領域Ｒを通過し揮発性有機化合物を含む地下水Ｗを地上に揚水でき、揮発性有機化合物が微生物活性化領域Ｓの外側（地下水流方向下流側Ｔ２）に拡散することを確実に防止して浄化処理を行なうことができる。
【図面の簡単な説明】
【００３７】
【図１】本発明の第１実施形態に係る汚染土壌及び汚染地下水の原位置浄化処理方法を示す図である。
【図２】本発明の第１実施形態に係る汚染土壌及び汚染地下水の原位置浄化処理方法の変形例を示す図である。
【図３】本発明の第２実施形態に係る汚染土壌及び汚染地下水の原位置浄化処理方法を示す図である。
【符号の説明】
【００３８】
１      揚水井
２      脱気装置
３      注入井
５      吸着槽
１０    脱酸素剤注入井（薬剤注入井）
１１    栄養剤注入井
Ａ      浄化処理装置（浄化処理設備）
Ｂ      浄化処理装置（浄化処理設備）
Ｅ      脱気領域
Ｍ      脱酸素剤
Ｐ      栄養剤
Ｒ      汚染領域
Ｓ      微生物活性化領域
Ｔ１    地下水流の上流側
Ｔ２    地下水流の下流側
Ｗ      地下水
Ｗ’    脱気地下水
【図１】
2008279403.tif 000003
【図２】
2008279403.tif 000004
【図３】
2008279403.tif 000005